(57)【要約】【課題】給紙トレイを装置本体内に押し込む動作時および給紙トレイ内への用紙収納時に、給紙トレイ内の用紙が勢い余って傾斜分離板を乗り越えない画像記録装置を提供する。【解決手段】給紙トレイ３をハウジングに対する挿入方向上流側に引き出すと、摺接部材５６が乗り上げ面５５ａから離反して、傾斜分離板２１が低くなる方向に傾動し、且つ第１規制体５０の規制面５０ａが傾斜分離板２１における分離面２１ａに対して突出する。給紙トレイ３を給紙可能位置に強く押し込むと、摺接部材５６が乗り上げ面５５ａを越えて凹部５５ｃに落ち込み、第１規制体５０が突出する。給紙可能位置では、摺接部材５６が乗り上げ面５５ａに乗り上げ摺接し、第１規制体５０の規制面５０ａが傾斜分離板２１における分離面２１ａよりも後退して没する。【選択図】図９
2014065612.tif 000002
【特許請求の範囲】
【請求項１】
装置筐体内に、被記録媒体を堆積させて収容可能な上面開放状の収容部を有する給紙トレイと、
当該給紙トレイに堆積された被記録媒体の最上層から一枚ずつ被記録媒体を所定の方向へと給送するための給送手段と、を有する給紙装置であって、
前記給紙トレイは、前記装置筐体に対して挿抜可能であり、
前記給紙トレイの挿入方向下流側に、上部側が下部側よりも前記挿入方向下流側に位置して傾斜した傾斜面を有し、下部側を中心として傾動可能に前記給紙トレイに形成された傾斜板と、
被記録媒体の給送方向先端を規制する規制体と、
前記給紙トレイが前記給送手段によって被記録媒体を給送可能となる給紙位置にある時には、前記傾斜板の傾斜面が前記規制体よりも被記録媒体側に位置し、前記給紙トレイが前記給紙位置よりも挿入方向下流側及び前記給紙位置よりも挿入方向上流側にある時には、前記規制体が前記傾斜面よりも被記録媒体側に位置するよう、前記給紙トレイの挿抜動に応じて、前記規制体と傾斜面との位置関係を変更する連係手段と、を備え、
前記連係手段は、前記給紙トレイの挿抜動に応じて、前記給紙トレイが前記給紙位置よりも前記挿入方向上流側にあるときの前記傾斜板の上端位置が、前記給紙トレイが前記給紙位置にあるときの前記傾斜板の上端位置よりも低くなるよう前記傾斜板を傾動させることを特徴とする給紙装置。
【請求項２】
前記連係手段は、前記装置筐体に設けられ、乗り上げ部と前記乗り上げ部よりも挿入方向下流側に凹部を有したガイド部材と、前記傾斜板に設けられ、前記ガイド部材の乗り上げ部に摺接可能な摺接部材とを備え、
前記給紙トレイが、前記給紙位置よりも挿入方向上流側の位置から前記給紙位置まで挿入されると、前記摺接部材が前記乗り上げ面に乗り上げ摺接して前記傾斜板の上部側を前記挿入方向上流側に傾動させて、前記傾斜面を前記規制体よりも被記録媒体側に突出させ、
前記給紙トレイが、前記給紙位置から挿入方向下流側にさらに挿入されると、前記凹部に前記摺接部材が嵌まり、前記傾斜板の上部側を前記挿入方向下流側に傾動させて、前記規制体を前記傾斜面よりも被記録媒体側に突出させることを特徴とする請求項１に記載の給紙装置。
【請求項３】
前記規制体は、前記給紙トレイに配置された第１規制体と、前記装置筐体に配置された第２規制体を備え、
前記連係手段は、前記給紙トレイが前記給紙位置よりも挿入方向上流側の位置から前記給紙位置まで挿入されると、前記傾斜板における前記傾斜面が前記第１規制体よりも被記録媒体側に位置し、前記給紙トレイが前記給紙位置よりも挿入方向下流側に挿入されると、前記第２規制体が傾斜面及び前記第１規制体よりも被記録媒体側に位置するよう、前記規制体と前記傾斜面との位置関係を変更することを特徴とする請求項１に記載の給紙装置。
【請求項４】
前記連係手段は、前記装置筐体に設けられ、乗り上げ部を有したガイド部材と、前記傾斜板に設けられ、前記ガイド部材の乗り上げ部に摺接可能な摺接部材とを備え、
前記第２規制体は、前記給紙位置における前記傾斜面よりも前記挿入方向下流側に配置され、
前記給紙トレイが前記装置筐体に対して挿入されるとき、前記摺接部材が前記乗り上げ部に乗り上げ摺接して、前記傾斜板の前記上部側を前記挿入方向下流側に向かうよう傾動させて、前記傾斜面を前記第１規制体よりも被記録媒体側に突出させ、  前記給紙トレイが、前記給紙位置よりも前記挿入方向下流側であって前記傾斜面が前記第２規制体よりも挿入方向下流側となる位置まで挿入されるとき、前記摺接部材が前記乗り上げ部の挿入方向下流側に沿って摺接し、前記第２規制体を前記傾斜板の前記傾斜面よりも被記録媒体側に突出させることを特徴とする請求項３に記載の給紙装置。
【請求項５】
前記給紙トレイが前記装置筐体に対して前記給紙位置よりも挿入方向下流側端部に接近するように挿入されたとき、当該給紙トレイを押し戻すよう付勢する付勢手段と、
該付勢手段の付勢力に抗して前記給紙トレイを前記給紙位置に保持するためのロック手段とを備えていることを特徴とする請求項１乃至４に記載の給紙装置。
【請求項６】
前記給送手段が前記給紙トレイの底板に対して昇降可能であり、上昇位置の前記給送手段の下端より低い位置まで前記傾斜板が傾動するように構成されていることを特徴とする請求項１乃至５に記載の給紙装置。
【請求項７】
前記傾斜板は、前記挿入方向下流側に向かって倒れる方向に付勢されていることを特徴とする請求項１乃至６に記載の給紙装置。
【請求項８】
前記規制体の被記録媒体を規制する規制部は、前記傾斜板における傾斜面よりも摩擦抵抗が大きくなるように形成されていることを特徴とする請求項１乃至７のいずれかに記載の給紙装置。
【請求項９】
装置筐体内に、被記録媒体を堆積させて収容可能な上面開放状の収容部を有する給紙トレイと、
当該給紙トレイに堆積された被記録媒体の最上層から一枚ずつ被記録媒体を所定の方向へと給送するための給送手段と、を有する給紙装置であって、
前記給紙トレイは、前記装置筐体に対して挿抜可能であり、
前記給紙トレイの挿入方向下流側に、上部側が下部側よりも前記挿入方向下流側に位置して傾斜した傾斜面を有し、下部側を中心として傾動可能に前記給紙トレイに形成された傾斜板と、
被記録媒体の給送方向先端を規制する規制体と、
前記給紙トレイが前記給送手段によって被記録媒体を給送可能となる給紙位置にある時には、前記傾斜板の傾斜面が前記規制体よりも被記録媒体側に位置し、前記給紙トレイが前記給紙位置よりも挿入方向下流側及び前記給紙位置よりも挿入方向上流側にある時には、前記規制体が前記傾斜面よりも被記録媒体側に位置するよう、前記給紙トレイの挿抜動に応じて、前記規制体と傾斜面との位置関係を変更する連係手段と、を備え、
前記給送手段が前記給紙トレイの底板に対して昇降可能であり、上昇位置の前記給送手段の下端より低い位置まで前記傾斜板が傾動するように構成されていることを特徴とする給紙装置。
【発明の詳細な説明】
【技術分野】
【０００１】
本発明は、給紙トレイを備えたプリンタ、複写機、ファクシミリ装置等に用いられる給紙装置およびその給紙装置を備えた画像記録装置に係る。より詳しくは、給紙トレイに被記録媒体（用紙等のシート材）を収納するとき、および装置の筐体に給紙トレイを装着するときに、被記録媒体の迫り出しを防止することの可能な給紙装置およびその給紙装置を備えた画像記録装置に関するものである。
【背景技術】
【０００２】
従来から、プリンタ、複写機、ファクシミリ装置等の画像記録装置において、ハウジング（装置筐体）の下部に給紙トレイ（給紙カセット）を略水平方向に挿抜可能に配置した構成が知られている。この画像記録装置では、給紙トレイの挿入方向下流側には傾斜分離板が設けられ、ハウジングの内部には、給紙ローラが備えられている。そして、上面が開放された給紙トレイに堆積収容された用紙の最上面に給紙ローラが押圧された状態で給紙ローラが回転駆動されることにより、用紙の端部が給紙トレイの給送方向下流側に設けられた傾斜分離板の傾斜面に突き当てられて、最上層のみの用紙が分離される。分離された用紙は、画像記録部に搬送され、更には画像記録部により用紙に画像が記録されるのである。
【０００３】
ところで、給送方向下流側に設けられ、傾斜した構成の傾斜分離板は、用紙の送り出しを妨げないために、用紙が滑りだしやすい構成となっている。従って、給紙トレイの収容部に多数枚の用紙を収納する場合、傾斜分離板と反対側（給送方向上流側）に配置された後端規制板を一旦用紙の後端縁から離れた側に位置させて多数枚の用紙を収納した後、当該堆積させた用紙の後端縁を後端規制板にて押し付けて、用紙の先端縁（給送方向上流側の端縁）が傾斜分離板に当接させる。その際の後端規制板の押し付け方向への移動力が強い場合、用紙が傾斜面を滑って傾斜分離板の上端を乗り越えるように登ってしまう。また、ユーザが用紙を収納する際の力が強いと、同様に用紙が傾斜分離板を登ってしまう。
【０００４】
そこで、上記不都合を解消するために、特許文献１では、傾斜分離板の一部に、用紙の先端縁を規制するためのストッパが設けられ、給紙トレイを画像記録装置本体から抜き出すときには、ストッパは用紙と当接位置となるように、傾斜分離板の傾斜面よりも突出する一方、給紙トレイを画像記録装置本体内にセットする（押し込む）と、ストッパは用紙との非当接位置となるように、傾斜分離板の傾斜面から退避させる構成が提案されている。
【０００５】
他方、特許文献２では、傾斜した分離壁よりも用紙側に突出して用紙を整列させる仕切板が形成された給紙トレイが記載されている。この仕切板は給紙トレイを装置筐体に装填するときの勢いで、整列状態の用紙が崩れてしまうのを防止するために、装置筐体に装填された後に、仕切板を用紙と接触しない退避位置へ移動させる解除機構を設けている。
【先行技術文献】
【特許文献】
【０００６】
【特許文献１】特開２００１−２２６６号公報（図３〜図７等参照）
【特許文献２】特開２００８−１２０４６６号公報（図９、図１０等参照）
【発明の概要】
【発明が解決しようとする課題】
【０００７】
しかしながら、上記のような構成を有する画像記録装置では、用紙の先端を規制するストッパや仕切り板等を移動させるための構成が複雑になってしまい、装置の大型化や部品点数の増加につながってしまうという問題があった。
【０００８】
本発明は、上記の従来の課題を解決すべくなされたものであり、ユーザが給紙トレイに用紙を収納する動作時、及び給紙トレイが給紙可能位置にセットされて、給紙トレイが急激に停止すると、給紙トレイ内に堆積された用紙が勢い余って傾斜板を乗り越える（はみ出す、迫り出す）など、用紙の堆積状態が乱れることを防止できる給紙装置およびその給紙装置を備えた画像記録装置を提供することを目的とするものである。
【課題を解決するための手段】
【０００９】
前記目的を達成するため、請求項１に記載の発明の給紙装置は、装置筐体内に、被記録媒体を堆積させて収容可能な上面開放状の収容部を有する給紙トレイと、当該給紙トレイに堆積された被記録媒体の最上層から一枚ずつ被記録媒体を分離して所定の方向へと給送するための給送手段と、を有する給紙装置であって、前記給紙トレイは、前記装置筐体に対して挿抜可能であり、前記給紙トレイの挿入方向下流側に、上部側が下部側よりも前記挿入方向下流側に位置して傾斜した傾斜面を有し、下部側を中心として傾動可能に前記給紙トレイに形成された傾斜板と、被記録媒体の給送方向先端を規制する規制体と、前記給紙トレイが前記給送手段によって被記録媒体を給送可能となる給紙位置にある時には、前記傾斜板の傾斜面が前記規制体よりも被記録媒体側に位置し、前記給紙トレイが前記給紙位置よりも挿入方向下流側及び前記給紙位置よりも挿入方向上流側にある時には、前記規制体が前記傾斜面よりも被記録媒体側に位置するよう、前記給紙トレイの挿抜動に応じて、前記規制体と傾斜面との位置関係を変更する連係手段とを備え、前記連係手段は、前記給紙トレイの挿抜動に応じて、前記給紙トレイが前記給紙位置よりも前記挿入方向上流側にあるときの前記傾斜板の上端位置が、前記給紙トレイが前記給紙位置にあるときの前記傾斜板の上端位置よりも低くなるよう前記傾斜板を傾動させているものである。
【発明の効果】
【００１０】
上述のように、請求項１に記載の発明によれば、前記給紙トレイには上部側が下部側よりも前記挿入方向下流側に位置して傾斜した傾斜面を有して下部側を中心として傾動可能にされた傾斜板を備え、被記録媒体の給送方向先端を規制する規制体と、前記給紙トレイが前記給送手段によって被記録媒体を給送可能となる給紙位置にある時には、前記傾斜板の傾斜面が前記規制体よりも被記録媒体側に位置し、前記給紙トレイが前記給紙位置よりも挿入方向下流側及び前記給紙位置よりも挿入方向上流側にある時には、前記規制体が前記傾斜面よりも被記録媒体側に位置するよう、前記給紙トレイの挿抜動に応じて、前記規制体と傾斜面との位置関係を変更する連係手段とを備え、前記連係手段は、前記給紙トレイの挿抜動に応じて、前記給紙トレイが前記給紙位置よりも前記挿入方向上流側にあるときの前記傾斜板の上端位置が、前記給紙トレイが前記給紙位置にあるときの前記傾斜板の上端位置よりも低くなるよう前記傾斜板を傾動させているものであるから、給紙トレイの挿抜動のみで、当該給紙トレイへユーザが用紙を収納する際や、当該給紙トレイを移動させる際に、用紙の一部が傾斜板を乗り越える（はみ出す）ことがなく、用紙を給紙可能な正規の位置に保持できる。
【００１１】
また、給紙トレイが勢い良く押し込まれることで給紙位置よりも下流側に給紙トレイが挿入されても、規制体が傾斜面よりも用紙側に突出していることによって、用紙の一部が傾斜板を乗り越える（はみ出す）ことがなく、用紙を正規の位置に保持できる。また、給紙位置においては、規制体が傾斜分離板における分離面に対して後退（没した）状態となるので、給送手段にて給紙するときに、複数枚の用紙の先端縁（挿入方向の下流側端縁）を傾斜分離板における分離面にて衝突させながら 1枚ずつに分離し、最上層用紙のみを画像記録部に給紙するという給紙機能を発揮させることができる。
【００１２】
請求項２に記載の発明によれば、ユーザは給紙トレイを装置筐体に対して挿抜するという作業だけで、傾斜板を傾動させて、規制体の規制面が傾斜板における傾斜面に対して出没するようにできる。また、連係手段を小型で、且つ最小構成部品としながら、必要な機能を充足させることができる。
【００１３】
請求項３に記載の発明によれば、規制体を２つの別部材で構成できるため、その配置等を自由に設計できる。
【００１４】
請求項４に記載の発明によれば、規制体を２つの別部材で構成した際も、ユーザは給紙トレイを装置筐体に対して挿抜するという作業だけで、傾斜板を傾動させて、第１規制体及び第２規制体が傾斜板における傾斜面に対して出没するようにできる。また、連係手段を小型で、且つ最小構成部品としながら、必要な機能を充足させることができる。
【００１５】
請求項５に記載の発明によれば、給紙トレイを給紙位置もしくは給紙位置よりも挿入方向下流側に押し込んだときには、付勢手段が作用して、押込みの急激な衝撃を緩和させることができるとともに、給紙トレイを挿入方向上流側に自動で押し戻すことが可能となる。また、ロック手段により、付勢手段の付勢力に抗して給紙トレイを給紙位置に保持できる。
【００１６】
請求項６に記載の発明によれば、傾斜分離板の上端が、給送手段と衝突するなどの干渉することがなく、給紙トレイの収容部の高さが低く設計された装置本体から、円滑に給紙トレイを出し入れすることができる。
【００１７】
請求項７に記載の発明によれば、傾斜板の傾動状態を安定的に保持できるため、給紙トレイの挿抜時に傾斜板が不用意に傾動せず、給送手段と傾斜板との干渉が防止できる。
【００１８】
請求項８に記載の発明によれば、用紙の先端縁が規制体の規制部に対して滑りだすのを確実に防止できる。
【００１９】
請求項９に記載の発明によれば、給紙トレイ内に被記録媒体が確実に保持されるため、画像記録部まで確実に搬送され、画像記録が行われる。
【図面の簡単な説明】
【００２０】
【図１】本発明の一実施形態である多機能型の画像記録装置の全体斜視図である。
【図２】記録部及び給紙装置の左右中央部の側断面図である。
【図３】可動する傾斜分離板の第１実施例を示すための画像記録装置および給紙トレイの一部切欠き概略平面図である。
【図４】第１実施例の給紙トレイの斜視図であり、（Ａ）は給紙作用可能な状態の斜視図、（Ｂ）は傾斜分離板が挿入方向下流側に倒れた状態の斜視図である。
【図５】第１実施例の給紙トレイの要部分解斜視図であり、（Ａ）は給紙トレイから傾斜分離板を除いた状態の後収容部、（Ｂ）は傾斜分離板を表面側から見た斜視図、（Ｃ）は傾斜分離板を裏面側から見た斜視図、（Ｄ）は装置本体の奥側端の斜視図である。
【図６】傾斜分離板および装置筐体の一部を裏面側から見た斜視図である。
【図７】（Ａ）、（Ｂ）及び（Ｃ）は第１実施例の作用説明のための要部斜視図である。
【図８】（Ａ）、（Ｂ）及び（Ｃ）は、図７の（Ａ）、（Ｂ）及び（Ｃ）に対応する要部断面図である。
【図９】（Ａ）、（Ｂ）及び（Ｃ）は、第１実施例の作用説明図である。
【図１０】可動する傾斜分離板の第１実施例の別例を示すための装置筐体および給紙トレイの一部切欠き概略平面図である。
【図１１】（Ａ）、（Ｂ）及び（Ｃ）は、第２実施例の作用説明図である。
【図１２】第２実施例の概略平面図である。
【発明を実施するための形態】
【００２１】
［多機能装置１の基本構造］
図１に示すように、本発明の一実施形態である多機能型の画像記録装置としての多機能装置１におけるハウジング２（請求項でいう装置筐体に相当）の前側（図１において手前側）には開口部２ａが開口されている。そして、その開口部２ａには被記録媒体を堆積状態で収容する上面開放状の給紙トレイ３がＸ軸線方向に沿って挿抜可能に装着されている。その給紙トレイ３の上面に排紙トレイ３３が装着されている。以下、一例としての合成樹脂製のハウジング２の開口部２ａがある側を前（手前）とし、これを基準に装置の後（奥、背面）、左右、とする。また、前述したように、多機能装置１の前後方向をＸ軸方向、左右方向をＹ軸方向とする。なお、この「挿抜」とは、給紙トレイ３がハウジング２に対して着脱可能なもののみならず、ハウジング２から給紙トレイ３の大部分を引出した状態でも、ハウジング２に対して給紙トレイ３が外れない（着脱不能な）ものも含む趣旨である。給紙トレイ３に収容される被記録媒体は、以下便宜上用紙Ｐと述べることとするが、被記録媒体は普通紙のみならず、はがきや封筒等の厚紙や光沢紙等の特殊紙、さらには樹脂フィルム等も含む概念である。
【００２２】
合成樹脂製のハウジング２の上部には、コピー機能やファクシミリ機能における原稿読取などのための画像読取装置５が配置されている。画像読取装置５は図示しない枢軸部を介してハウジング２の一側端に対して上下方向に開閉するように回動可能に構成されている。また、画像読取装置５の上面は原稿載置用のガラス板（不図示）で構成されており、このガラス板は、画像読取装置５の後端に対して枢軸を中心に上下方向に回動可能な原稿カバー体６で覆われている。原稿カバー体６を上側に開けてガラス板の上に原稿を載置し、ガラス板の下方において主走査方向に往復移動する原稿読取り用のスキャナ（例えばＣＩＳ：Contact Image Sensor）によって原稿の画像が読取られる。
【００２３】
ハウジング２の上面であって原稿カバー体６の前方には、各種操作ボタンを備えた操作パネル部７と、操作手順や実行中の処理の状態を表示するための液晶表示装置８とが設けられている。各種操作ボタンとしては、スタートボタンや、ストップボタンなどを含み、これらの操作ボタンを押下することにより、各種の操作が行われる。また、多機能装置１の設定状態や各種の操作メッセージなどが必要に応じて表示される。
【００２４】
次に、図２及び図３等を参照して記録部１０及び給紙装置１２について説明する。図２は記録部１０及び給紙装置１２の側断面図である。
【００２５】
［記録部］
記録部１０（請求項にいう画像記録部）は、上面が開放された箱型のメインフレームにて支持され、図２の紙面に垂直な方向（主走査方向）に延びる横長の板状の第１及び第２ガイド部材１５、１６との間に形成される。記録部１０における記録ヘッド１４が下面側に搭載されたキャリッジ１３は、用紙Ｐ搬送方向の上流側の第１ガイド部材１５及び下流側の第２ガイド部材１６に跨がって摺動自在に支持（搭載）されており、図２の紙面に垂直な方向に往復移動可能となっている。
【００２６】
キャリッジ１３を往復移動させるために、用紙Ｐ搬送方向（矢印Ａ方向）の下流側に配置された第２ガイド部材１６の上面には、主走査方向（Ｙ軸方向）に延びるように配置されたタイミングベルト（図示せず）がプーリ（図示せず）に巻回されており、そのタイミングベルトを駆動するＣＲ（キャリッジ）モータ（図示せず）は第２ガイド部材１６の下面に固定されている。
【００２７】
キャリッジ１３に搭載されている記録ヘッド１４の下面と対峙するようにＹ軸方向に延びる扁平板状のプラテン１７は、前記両ガイド部材１５、１６の間であって、メインフレーム（不図示）の底板の上方に固定されている。メインフレームとハウジング２の基板５９（図９参照）との間が後述する給紙トレイ３を収納し、且つ挿抜できるトレイ収納部となる。
【００２８】
また、プラテン１７を挟んで搬送上流側には、用紙Ｐを記録ヘッド１４の下面に送るためのレジストローラ（搬送ローラ）対１８が配置されており、プラテン１７の下流側には記録済みの用紙Ｐを、給紙トレイ３の上面に設けられた排紙トレイ３３上に搬送するための排紙ローラ対１９が配置されている。
【００２９】
［給紙装置］
次に、給紙装置１２の構成について詳述する。合成樹脂材の射出成形品である給紙トレイ３の収容部は、後収容部３ｂとこの後収容部３ｂに対して進退移動可能に連結された前収容部３ｄとからなる。後収容部３ｂに対して前収容部３ｄを後退させて全長（Ｘ軸方向の長さ）を長くした状態で、給紙トレイ３の収容部に収容可能な用紙Ｐの最大サイズはリーガルサイズである。この場合、リーガルサイズの用紙Ｐは、その長辺がＸ軸方向に沿い、短辺がＹ軸方向に沿うように後収容部３ｂと前収容部３ｄとにわたって、その内部に堆積収容される（但し、図５（Ａ）は排紙トレイ３３及び前収容部３ｄを除去した状態の後収容部３ｂを示す）。また、Ａ４サイズの用紙Ｐを堆積収容するときには、前収容部３ｄを後収容部３ｂ内に押し込み、給紙トレイ３の長さ寸法を短くして使用する。給紙トレイ３内の用紙Ｐは、後述する給送手段２０とＵターン状の内外径の搬送路体２２、２３とを介して１枚ずつ記録部１０に給送される。
【００３０】
後収容部３ｂは、底部３ａと左右両側板３ｃと給送方向の下流側端（給紙トレイ３の挿入方向の下流側端でもあり、奥側でもある）に配置される傾斜分離板２１とが備えられ、前収容部３ｄの給送方向の上流側端には把手部３ｆが設けられている。この給紙トレイ３への用紙Ｐの最大堆積量は、実施形態では普通紙で１５０枚程度、堆積高さはほぼ１５ｍｍ程度とする。なお、傾斜分離板２１は請求項にいう傾斜板に相当する。
【００３１】
合成樹脂材の射出成形品である排紙トレイ３３は、後収容部３ｂの左右側板３ｃに上下回動可能に連結されている。排紙トレイ３３は水平状態（図２参照）にて前収容部３ｄの左右両側板に載置されて、この前収容部３ｄと共に開口部２ａから引き出して延ばすことができる構成である。排紙トレイ３３の給紙トレイ３の挿入方向の下流側端に、補助トレイ部３０が一体的に形成されており、補助トレイ部３０には、葉書などの小サイズの用紙を複数枚堆積収容可能である。
【００３２】
給紙トレイ３における後収容部３ｂには、給紙トレイ３内の用紙Ｐの給送方向と平行な側縁を案内し、且つ位置決めするための一対のサイドガイド４１が備えられている（図３、図４（Ａ）及び図５（Ａ）参照）。他方、前収容部３ｄには、用紙Ｐの給送方向上流側端縁に当接するようにＸ軸方向に沿って移動調節可能なリヤガイド３７（図２参照）が設けられている。
【００３３】
傾斜分離板２１は、給紙トレイ２の給送方向下流側に設けられており、上端側が下流側に向かうよう傾斜している。この傾斜分離板２１の傾斜角度は、用紙Ｐの給送を妨げない角度に設定されている。また、傾斜分離板２１における分離面２１ａ（表面）のうち、左右中心部には、分離部材として、金属片からなり、上下方向に適宜間隔にて分離面２１ａ（表面）から突出する分離爪５７が設けられている（図５（Ｂ）参照）。なお、傾斜分離板２１の詳細な構成については、詳述する。
【００３４】
一対のサイドガイド４１は、給紙トレイ３の左右両側板３ｃの間の底板３ａ上にて用紙Ｐの給送方向（Ｘ軸方向、副走査方向でもある）と直交する方向（Ｙ軸方向、主走査方向である）に広狭移動（広狭スライド）可能に設けられている。これらは公知のラック・ピニオンを用いた構成であり、一方のサイドガイド４１を移動させると他方のサイドガイド４１も移動する。一対のサイドガイド４１により、給紙トレイ３の幅方向（用紙Ｐの給送方向と直交する方向）の中心線と用紙Ｐの幅方向の中心線とを一致させることができる。すなわち、用紙Ｐを給紙トレイ３のセンター位置に合わせることができる。
【００３５】
［給送手段］
次に、図２及び図３を参照しながら、給送手段（給紙ローラユニットともいう）２０の構造について説明する。実施形態では、給送手段２０における合成樹脂製のアーム体２０ｃはメインフレームに取り付けられた駆動軸３９を中心にして上下回動可能であり、アーム体２０ｃは傾斜分離板２１に近づくように延び、アーム体２０ｃの先端部に左右一対の給紙ローラ２０ａが配置されている。駆動軸３９からアーム体２０ｃに設けられた歯車伝達機構（不図示）を介して給紙ローラ２０ａを回転駆動する。歯車伝達機構は複数個の伝達用の歯車及び遊星歯車を備えている。なお、実施例における一対の給紙ローラ２０ａは、給紙トレイ３におけるＹ軸方向の中心線を挟んで左右対称位置に設けられている（図３参照）。
【００３６】
給紙トレイ３から用紙Ｐを１枚ずつ分離にして給送するときには、給送モータ（不図示）が回転して駆動軸３９を回転（図２で反時計廻り方向）させ、歯車伝達機構を介してアーム体２０ｃは下向き方向に付勢される。そして、アーム体２０ｃの先端部の給紙ローラ２０ａが給紙トレイ３に堆積された用紙Ｐの最上面に押圧され、且つアーム体２０ｃに設けられた歯車伝達機構を介して給紙ローラ２０ａは給送方向（図２で時計廻り方向）に回転される。
【００３７】
［給送手段の退避手段］
次に、給紙トレイ３をハウジング２に対して、略水平方向に挿抜するときに、アーム体２０ｃと給紙ローラ２０ａである給送手段２０が給紙トレイ３の先端部（傾斜分離板２１）に衝突（干渉）して挿抜不能にならないようにするための退避手段がについて説明する。退避手段は、アーム体２０ｃに設けられた作動体としてのカムフォロアと、挿抜する給紙トレイ３の少なくとも一側板３ｃの上面に形成されて上記カムフォロアが摺接する誘導体としてのカム部４４とからなる。この構成は公知のものであり、例えば、特開２００７−６２４９６５号等に記載されている。
【００３８】
図２〜図４に示す実施例では、アーム体２０ｃの基部寄り部位に、駆動軸３９の軸線と平行状に延びるカムフォロアとしてのウイング４３がＹ軸方向に沿って延びるように一体的に設けられている。
【００３９】
他方、上述したとおり、給紙トレイ３の一方の側板３ｃ（上記ウイング４３の延びる側に対応する）の上面には、当該給紙トレイ３の挿抜方向であるＸ軸方向に沿って高さが変化するカム部４４が形成されている（図４（Ａ）等参照）。このカム部４４は、給紙トレイ３の傾斜分離板２１に近い側での高さは高く且つ実質上水平状の第１部分４４ａと、この第１部分４４ａの給送方向上流側に形成されるＶ型の第２部分４４ｂとからなる。
【００４０】
この構成により、例えば、図２のように、傾斜分離板２１がＵターン状の搬送経路体２２、２３の下端の位置に隣接するように給紙トレイ３がハウジング２に押し込まれ、用紙Ｐが給紙可能となる給紙位置に装着され状態では、ウイング４３はカム部４４における第２部分４４ｂの最低高さの個所に対向して配置される。その状態では、給紙ローラ２０ａが給紙トレイ３の底板３ａまたは堆積された用紙Ｐの最上面に当接し得るように、アーム体２０ｃは先端側が給送方向下流側に向けて下方に傾斜する姿勢となる。
【００４１】
上記の状態から、給紙トレイ３をハウジング２から引き出すとき、まずウイング４３がＶ型の第２部分４４ｂに摺接しながら押し上げられる。これにより、アーム体２０ｃも押し上げられる。給紙ローラ２０ａ及びアーム体２０ｃからなる給送手段２０の下端が傾斜分離板２１の上端よりも上に位置すると状態で、給紙トレイ３を引き出せば、且つ給紙ローラ２０ａは傾斜分離板２１の上端縁に引っかかることなく乗り越えることができる。
【００４２】
逆に、給紙トレイ３をハウジング２内に挿入するときは、給紙トレイ３の先端部の傾斜分離板２１の上端縁にて作動体を介してアーム体２０ｃを押し上げる。これにより、給送手段が傾斜分離板２１の上端縁を乗り越えると、給紙トレイ３の引出し時の逆の動作で、カムフォロアであるウイング４３が給紙トレイ３のカム部４４に沿って移動し、カム部４４の高さが低くなる箇所では、図２のように、アーム体２０ｃとその給紙ローラ２０ａが底部３ａに近くなるように、下降できるのである。
【００４３】
［用紙のずれ動き防止手段（用紙のはみ出し防止手段）］
はみ出し防止手段は、ハウジング２（装置本体）への給紙トレイ３の挿抜時（特に挿入時）や給紙トレイ３への用紙収納時に、給紙トレイ３に堆積された用紙Ｐが傾斜分離板２１から不用意にずれ移動せず、特に、給紙トレイ３に堆積された用紙Ｐの給送方向下流側への迫り出し（はみ出し）を、阻止するためのものである。
【００４４】
第１実施例では、図４）〜図７に示すように、傾斜分離板２１は、その下部側を中心として、給紙トレイ３に対して回動可能に構成されている。
【００４５】
より詳しくは、左右に長い傾斜分離板２１の両端における下部側に回動支点となるピン５１が水平状に一体的に形成されており、この両ピン５１が給紙トレイ３の左右側板３ｃに形成された軸穴５２に回動自在に装着されている（図５（Ａ）〜図５（Ｂ）参照）。
【００４６】
給紙トレイ３の挿入方向下流側端部には、第１規制体５０が給紙トレイ３の側面からの投影方向において、三角形状に形成されて給紙トレイ３の底板３ａから上向きに突出している。第１規制体５０の斜面が規制面５０ａとなるもので、規制面５０ａには、摩擦抵抗の大きい部材が固定されるか、または表面処理されている。その場合、規制面５０ａは、傾斜分離板２１における分離面２１ａ及び分離爪５７による用紙Ｐに対する抵抗摩擦よりも大きくなるように形成されている。なお、第１規制体は他の形状に形成されていても良く、規制面５０ａのように面状でなくても良い。すなわち、傾斜分離板よりも抵抗摩擦が大きく、傾斜分離板の回動に伴って、出没可能であればよい。
【００４７】
第１規制体５０は、用紙幅方向（図４のＹ軸方向）に沿って複数（実施例では、給紙トレイ３の左右中心線を挟んで中央寄り部位に対称位置に２つ）設けられている。他方、傾斜分離板２１には、各第１規制体５０の配置位置に対応させて、第１規制体５０の少なくとも規制面５０ａが通過できる窓孔５３が形成されている。その場合、傾斜分離板２１が窓孔５３の個所で分離しないように、窓孔５３の一部（例えば、上端部）で連結片５４にて連結されている。なお、窓孔５３の上下方向中途部に連結片５４を設け、各第１規制体５０の規制面５０ａには連結片５４が嵌まる切欠き凹所を形成する。そして、規制面５０ａは、給紙トレイ３がセット位置に装着された状態では、傾斜分離板２１の分離面２１ａよりも用紙側から退避した位置となり、セット位置以外の状態では、傾斜分離板２１の分離面２１ａよりも用紙側に突出した位置となるよう配置されている。
【００４８】
さらに、傾斜分離板２１を回動させるための連係手段が、ハウジング２に設けられ、上面に乗り上げ面５５ａを有したガイド部材５５と、傾斜分離板２１に設けられ、ガイド部材５５の乗り上げ面５５ａに摺接可能な摺接部材５６とを備えている。ガイド部材５５は、ハウジング２における基板５９の奥側に一体的に形成されており、乗り上げ面５５ａのうち挿入方向上流側に隣接して、摺接部材５６を誘導する傾斜案内面５５ｂが一体的に形成されている（図４（Ｃ）、図５（Ａ）及び図５（Ｂ）参照）。他方、摺接部材５６は傾斜分離板２１の裏面である用紙Ｐと接触する面の裏側に斜め下向きに延びるように一体的に形成されている。さらに、ガイド部材５５の上面には、乗り上げ面５５ａの挿入方向下流側に隣接した位置に、摺接部材５６が落ち込む（嵌まる）凹部５５ｃが形成されている（図５（Ｃ）、図８参照）。なお、連係手段の形状は上記に限定されることはなく、傾斜分離板２１を回動させるための構成であれば他の形状であってももちろん良い。
【００４９】
そして、給紙トレイ３における奥板３ｅなどと傾斜分離板２１の裏面との間に装架した引きバネ５８等の付勢手段により、回動可能な傾斜分離板２１が挿入方向下流側に向かって倒れる方向に付勢されている（図５参照）。
【００５０】
さらに、ハウジング２における基板５９の奥側には、ハウジング３の挿入方向下流側端近傍（給紙可能状態となるセット位置）まで給紙トレイ３を押し込んだ時、当該給紙トレイ３を挿入方向上流側に押し戻すように付勢するダンパー手段６１が設けられている。実施例では、ダンパー手段６１は、基板５９の奥側の左右両側に複数設けられ、挿入方向上流側に開口部を有する収納部６１ａと、収納部６１ａの開口部に対して挿入方向に沿って移動可能で、且つ所定量以上挿入方向上流側に突出することが規制された当接体６１ｂと、収納部６１ａの奥側と当接体６１ｂとの間に装架されて、当接体６１ｂを挿入方向上流側に付勢する圧縮ばね６１ｃとが備えられている（図５（Ｃ）及び図６参照）。
【００５１】
また、給紙トレイ３とハウジング２との間には、上記ダンパー手段６１による付勢力に抗して、給紙トレイ３が給紙可能位置であるセット位置に装着された状態を保持するためのロック手段６２が設けられている。実施例では、給紙トレイ３の底板３ａの下面にフック体６２ａが設けられ、ハウジング２における基板５９の上面に係合部６２ｂが設けられている（図９参照）。なお、給紙トレイ３を挿入方向下流側に押し込むとき、フック体６２ａが係合部６２ｂの上面側を乗り越えて後、フック体６２ａが係合部６２ｂの挿入方向下流側端に係止して給紙トレイ３の移動位置を保持できる構成であっても良いし、フック体６２ａが係合部６２ｂの一側面に摺接した後、フック体６２ａが係合部６２ｂの挿入方向下流側端に係止する構成であっても良い。上記の構成により、給紙トレイ３の挿抜時に給紙可能なセット位置近傍で、クリック感を与えることができる。さらに、別の実施例としては、フック体６２ａと係合部６２ｂとの配置位置は、給紙トレイ３の側板３ｃとハウジング２の側板内面とに設けられても良い。
【００５２】
上記の構成により、図７（Ａ）、図８（Ａ）及び図９（Ａ）のように、給紙トレイ３がハウジング２のトレイ収納部の給紙可能なセット位置から適宜量引き出された状態では、アーム体２０ｃは実質的に水平状態である。そして、この状態でハウジング２の開口部２ａから用紙Ｐを給紙トレイ３に対して補給することができる。
【００５３】
この状態では、傾斜分離板２１の上端側が、引きバネ５８等の付勢手段により、挿入方向下流側に向かって倒れる方向に付勢されている。そして、摺接部材５６はガイド部材５５より低い給紙トレイ３の底板３ａ上に摺接するか、図示しないストッパにて傾斜分離板２１の倒れ角度が規制されている。傾斜分離板２１の高さはセット位置に装着された状態よりも低くなり、その高さは、上昇位置の給送手段２０の給紙ローラ２１ａやアーム体２０ｃと干渉しないよう、給送手段２０の下端位置より低く構成されている。従って、さらに、この状態においては、第１規制体５０の規制面５０ａが傾斜分離板２１における分離面２１ａや分離爪５７の先端に対して突出している。また、給紙トレイ３に堆積収容された用紙Ｐの先端縁（給紙トレイ３の挿入方向下流側端縁）が摩擦抵抗の大きい規制面５０ａに規制されて、用紙Ｐが不用意にずれ移動せず、特に、給紙トレイ３に堆積された用紙Ｐの給送方向下流側への迫り出し（はみ出し）を、当該給紙トレイ３の挿入時に効果的に阻止することができる。
【００５４】
その状態から給紙トレイ３が挿入されると、摺接部材５６はガイド部材５５における傾斜案内面５５ｂに乗り上げた後、乗り上げ面５５ａと摺接する。これに伴い図７（Ｂ）、図８（Ｂ）及び図９（Ｂ）に示すように、一旦傾斜分離板２１が起立する。図７（Ｃ）、図８（Ｃ）及び図９（Ｃ）に示すように、ユーザが給紙トレイ３を給紙可能なセット位置よりもさらに挿入方向下流側に移動させると、フック体６２ａは係合部６２ｂを越えて挿入方向下流側に位置する一方、当該給紙トレイ３の奥板３ｅにてダンパー手段６１の当接体６１ｂを圧縮ばね６１ｃの付勢力に抗して押し込むことになる。その状態では、摺接部材５６はガイド部材５５における傾斜案内面５５ｂに乗り上げた後、乗り上げ面５５ａを乗り越え、凹部５５ｃに摺接部材５６が落ち込む（嵌まる）。これに伴い、一旦、傾斜分離板２１が起立した後、傾斜分離板２１が挿入方向下流側に向かって再度倒れて、第１規制体５０の少なくとも規制面５０ａが傾斜分離板２１における分離面２１ａより好ましくは分離爪５７に対して用紙側に突出することになる。
【００５５】
従って、給紙トレイ３が急停止することによって、当該給紙トレイ３上の堆積した用紙Ｐが慣性力で、傾斜分離板２１を乗り越えて挿入方向下流側に移動することを、第１規制体５０の規制面５０ａにて規制できる。このため、給紙トレイ３に堆積された用紙Ｐの給送方向下流側への迫り出し（はみ出し）を効果的に防止することができる。また、ダンパー手段６１によって、給紙トレイ３が停止する際の衝撃を緩和することができる。
【００５６】
この状態から、ユーザが給紙トレイ３から手を離すと、圧縮ばね６１ｃの付勢力にて当接体６１ｂを介して給紙トレイ３を給紙可能状態となるセット位置まで押し戻す（図７（Ｂ）、図８（Ｂ）及び図９（Ｂ）の状態参照）。
【００５７】
これに伴って、摺接部材５６はガイド部材５５の凹部５５ｃから挿入方向上流側に戻り、乗り上げ面５５ａに乗り上げ摺接するので、傾斜分離板２１は起き上がる。これにより、傾斜分離板２１における分離面２１ａが第１規制体５０の規制面５０ａよりも用紙側に突出する。そして、ロック手段６２のフック体６２ａが係合部６２ｂと係合して係止作用が発揮され、給紙トレイ３は、セット位置に装着されるとともに、不用意に給紙トレイ３が移動しない。この給紙可能状態では、給送手段２０の給紙ローラ２１ａが給紙トレイ３に堆積収容された用紙Ｐの最上層に当接する。そして、給紙ローラ２１ａを所定方向に回転させることで、傾斜分離板２１における分離面２１ａ、特に分離爪５７との協働作用により用紙Ｐが１枚ずつに分離され、記録部１０に用紙Ｐが給送（搬送できる）のである。また、起立した傾斜分離板２１の上端の高さ位置が高くなるので、その上端が搬送路体２２等の下端に接近でき、且つ、給送手段２０による用紙Ｐの分離給送作用を確実にすることができる。
【００５８】
逆に、セット位置から給紙トレイ３がハウジング２に対して挿入方向上流側に移動される（引き出す）と、摺接部材５６が乗り上げ面５５ａから離反して、傾斜分離板２１が低くなる方向に（挿入方向下流側に）傾動し、且つ第１規制体５０の規制面５０ａが傾斜分離板２１における分離面２１ａに対して突出するように構成されている。このため、給紙トレイ引き出し時においても、用紙Ｐが傾斜分離板２１を乗り越えてはみ出すことがない。また、ユーザが給紙トレイ３を挿入方向上流側に引き出すときには、フック体６２ａが係合部６２ｂの個所を通過するので、クリック感が生じる。
【００５９】
図１０は、傾斜分離板２１の第１実施例の別例であり、この実施例では、回動可能な傾斜分離板２１は、給紙トレイ３における用紙Ｐの幅方向の一部に対応して設けられている。例えば、給紙トレイ３の左右方向の中心線に、用紙Ｐの幅方向の中心を合わせる、いわゆるセンター合わせの形態では、回動可能な傾斜分離板２１は給紙トレイ３の左右方向の中心側に配置され、傾動しない固定傾斜分離板４５は給紙トレイ３の左右側板３ｃに近い側に設けられている。回動可能な傾斜分離板２１の回動中心となるピン５１は固定傾斜分離板４５に対して回動可能に枢支される。その場合も、第１規制体５０は、給紙トレイ３に収容可能ないずれのサイズの用紙Ｐの幅方向に延びる端縁に当接可能に配置されている。例えば、幅寸法の小さい葉書に対しても対応できるように、給紙トレイ３の左右方向の中心に近い側に第１規制体５０が配置されるべきである。この構成により、回動する傾斜分離板は小さくてよいため、回動動作が安定的になるとともに、傾斜分離板全体の剛性が確保できる。
【００６０】
図１１及び図１２は、はみ出し防止手段の第２実施例を示す。この実施例では、第１実施例の第１規制体５０の構成に加えて、ハウジング２の基板５９におけるガイド部材５５の傾斜案内面５５ｂの先端（挿入方向上流側端）よりも上流側であって、摺接部材５６がガイド部材５５に乗り上げるときに干渉しない（邪魔にならない）側方に、第２規制体６３を立設させる。実施例では、基板５９の左右中心線を挟んで一対設けられている。
【００６１】
第２規制体６３は給紙トレイ３の側面からの投影方向において、三角形状に形成されている。第２規制体６３の斜面が規制面６３ａとなるもので、規制面６３ａには、摩擦抵抗の大きい部材が固定されるか、または摩擦抵抗の大きい表面処理されている。その場合、規制面６３ａは、傾斜分離板２１における分離面２１ａ及び分離爪５７による用紙Ｐに対する抵抗摩擦よりも大きくなるように形成されている。
【００６２】
傾斜分離板２１には、各第２規制体６３の配置位置に対応させて、第２規制体６３の少なくとも規制面６３ａが通過できる窓孔６４が形成されている。その場合、傾斜分離板２１が窓孔６４の個所で分離しないように、窓孔６４の一部（例えば、上端部）で連結片にて連結されている。
【００６３】
さらに、給紙トレイ３の底板３ａにおける挿入方向下流側端には、当該給紙トレイ３を給紙可能なセット位置に向かって押し込むとき、第２規制体６３が底板３ａと干渉せず通過でき、且つ、第２規制体６３の少なくとも規制面６３ａが窓孔６４に対して出没し得るように、案内ガイド溝６５が切欠き形成されている（図１２参照）。
【００６４】
傾斜分離板２１を回動させるための連係手段のガイド部材５５は、上面に乗り上げ面５５ａと、乗り上げ面５５ａのうち挿入方向上流側に隣接して、摺接部材５６を誘導する傾斜案内面５５ｂが一体的に形成されている。その他の構成は、第１実施例と同じであるので、図面には同じ符合を付して詳細な説明は省略する。
【００６５】
この第２実施例によれば、図１１（Ａ）のように、給紙トレイ３がハウジング２のトレイ収納部の給紙可能なセット位置から適宜量引き出された状態では、傾斜分離板２１は、引きバネ５８等の付勢手段により、挿入方向下流側に向かって倒れる方向に付勢されている。そして、摺接部材５６はガイド部材５５より低い給紙トレイ３の底板３ａ上に摺接するか、図示しないストッパにて傾斜分離板２１の倒れ角度が規制されているので、第１規制体５０の規制面５０ａが傾斜分離板２１における分離面２１ａや分離爪５７の先端に対して突出することになる。
【００６６】
そして、ユーザが給紙トレイ３を挿入すると、摺接部材５６はガイド部材５５における乗り上げ面５５ａを乗り上げる。これに伴い、傾斜分離板２１が起立する。この状態では、傾斜分離板２１の分離面２１ａは、第１規制体５０の規制面５０ａよりも用紙側に突出している。また、第２規制体６３は、傾斜分離板２１よりも挿入方向下流側に位置する。その後、図１１（Ｃ）に示すように、ユーザが給紙トレイ３を給紙可能位置よりもさらに挿入方向下流側に押し込むと、フック体６２ａは係合部６２ｂを越えて挿入方向下流側に位置する一方、当該給紙トレイ３の奥板３ｅにてダンパー手段６１の当接体６１ｂを圧縮ばね６１ｃの付勢力に抗して押し込むことになる。そして、第２規制体６３が傾斜分離板２１の窓穴６４から挿入方向上流側に位置し、第２規制体６３の規制面６３ａが傾斜分離板２１における分離面２１ａより好ましくは分離爪５７に対して突出することになる。なお、第１規制体５０の規制面５０ａは傾斜分離板２１における分離面２１ａより後退した位置にある。
【００６７】
上記の状態では、給紙トレイ３の急停止にて、当該給紙トレイ３上の堆積した用紙Ｐが慣性力で、挿入方向下流側に移動することを、第２規制体６３の規制面６３ａにて規制できる。このため、給紙トレイ３に堆積された用紙Ｐの給送方向下流側への迫り出し（はみ出し）を効果的に防止することができる。
【００６８】
図１１（Ｃ）の状態から、ユーザが給紙トレイ３から手を離すと、圧縮ばね６１ｃの付勢力にて当接体６１ｂを介して給紙トレイ３を給紙可能状態となるセット位置まで押し戻す（図１１（Ｂ）の状態参照）。
【００６９】
そうすると、図１１（Ｂ）に示すように、傾斜分離板２１の分離面２１ａは、第２規制体６３の規制面６３ａよりも挿入方向上流側に位置する（すなわち用紙側に突出する）こととなる。この給紙可能状態では、給送手段２０の給紙ローラ２０ａが給紙トレイ３に堆積収容された用紙Ｐの最上層に当接し、給紙ローラ２１ａを所定方向に回転させることで、傾斜分離板２１における分離面２１ａ、特に分離爪５７との協働作用により用紙Ｐが１枚ずつに分離され給紙される。
【００７０】
本発明は上記記述及び図面によって説明した実施形態に限定されるものではなく、要旨を逸脱しない範囲内で種々変更して実施することができる。例えば、上記各実施例において、第１規制体５０及び第２規制体６３は１つでも良いし、３つ以上の複数であっても良い。さらに、固定配置されているだけでなく、可動であってもよい。
【００７１】
傾斜分離板２１は、給紙トレイ３の幅方向の一部、例えば中央寄り部位にて固定傾斜板４５に対して回動可能に装着されていても良いし（図１２参照）、図３のように給紙トレイ３の幅方向の全体にわたって配置されていても良い。さらに、傾斜分離板２１は、分離部材５７を備えてなくても良い。また、傾斜分離板２１は、給紙トレイ３に装着されておらず、装置筐体（ハウジング２）に設けられ、給紙トレイ３には、規制体のみが設けられていても良い。その場合も、給紙トレイ３の挿抜に応じて筐体側の傾斜分離板２１を傾動させるための連係手段が給紙トレイおよび装置筐体に設けられる。さらに、ダンパー手段は、給紙トレイを給紙位置に戻す機構であればよく、ロック手段も、給紙トレイを給紙位置に保持する機構であればよい。
【符号の説明】
【００７２】
２   装置筐体としてのハウジング
３   給紙トレイ
３ａ 底部
２０   給送手段
２０ａ 給紙ローラ
２０ｃ アーム体
２１   傾斜分離板
２１ａ 分離面
５０   第１規制体
５０ａ 規制面
５５   ガイド部材
５５ａ 乗り上げ面
５５ｃ 凹部
５６   摺接部材
６１   ダンパー手段
６２   ロック手段
６３   第２規制体
６３ａ 規制面
【図１】
2014065612.tif 000003
【図２】
2014065612.tif 000004
【図３】
2014065612.tif 000005
【図４】
2014065612.tif 000006
【図５】
2014065612.tif 000007
【図６】
2014065612.tif 000008
【図７】
2014065612.tif 000009
【図８】
2014065612.tif 000010
【図９】
2014065612.tif 000011
【図１０】
2014065612.tif 000012
【図１１】
2014065612.tif 000013
【図１２】
2014065612.tif 000014
【手続補正書】
【提出日】平成26年2月18日(2014.2.18)
【手続補正１】
【補正対象書類名】特許請求の範囲
【補正対象項目名】全文
【補正方法】変更
【補正の内容】
【特許請求の範囲】
【請求項１】
装置筐体と、
前記装置筐体に対して挿抜可能な給紙トレイと、
前記給紙トレイの挿入方向下流端部に位置し、傾斜面を有する傾斜部と、
被記録媒体の前記挿入方向下流端を規制する規制体と、
前記装置筐体に設けられた第１連係手段と、
前記給紙トレイに設けられ、前記給紙トレイの挿入過程で前記第１連係手段と当接しない非当接状態から、前記第１連係手段と当接する当接状態となる第２連係手段と、を備え、
前記第２連係手段は、前記非当接状態から前記当接状態になると、前記規制体と前記傾斜面との位置関係を、前記規制体が前記傾斜面よりも被記録媒体側に位置する規制状態から、前記傾斜面が前記規制体よりも被記録媒体側に位置する退避状態に向けて変化させるよう変更することを特徴とする給紙装置。
【請求項２】
前記第２連係手段は、前記第１連係手段と当接した時点から前記給紙トレイが挿入されるにつれて、前記位置関係を、前記規制状態から前記退避状態に向けて次第に変化させるよう変更することを特徴とする請求項１に記載の給紙装置。
【請求項３】
給紙位置に位置した前記給紙トレイが支持する被記録媒体を給紙するための給紙手段を更に備え、
前記給紙トレイが前記給紙位置まで挿入されたとき、前記傾斜面は、前記規制体よりも被記録媒体側に位置していることを特徴とする請求項２に記載の給紙装置。
【請求項４】
前記第２連係手段は、前記給紙トレイの抜脱過程において、前記当接状態から前記非当接状態になると共に、前記位置関係を、前記退避状態から前記規制状態に向けて変化させるよう変更することを特徴とする請求項１乃至請求項３のいずれかに記載の給紙装置。
【請求項５】
前記第２連係手段は、前記給紙トレイの挿抜過程において姿勢変化することで、前記位置関係を変更することを特徴とする請求項１乃至請求項４のいずれかに記載の給紙装置。
【請求項６】
前記第１連係手段は、前記装置筐体に固定されており、
前記第２連係手段は、前記給紙トレイに対して姿勢変化可能に前記給紙トレイに設けられており、且つ前記給紙トレイの挿入過程において、前記第１連係手段に当接することで姿勢変化して前記位置関係を変更することを特徴とする請求項５に記載の給紙装置。
【請求項７】
前記規制体は、前記傾斜面よりも摩擦抵抗が大きくなるように形成された規制部を有していることを特徴とする請求項１乃至請求項６のいずれかに記載の給紙装置。
【手続補正２】
【補正対象書類名】明細書
【補正対象項目名】全文
【補正方法】変更
【補正の内容】
【発明の詳細な説明】
【技術分野】
【０００１】
本発明は、給紙トレイを備えたプリンタ、複写機、ファクシミリ装置等に用いられる給紙装置およびその給紙装置を備えた画像記録装置に係る。より詳しくは、給紙トレイに被記録媒体（用紙等のシート材）を収納するとき、および装置の筐体に給紙トレイを装着するときに、被記録媒体の迫り出しを防止することの可能な給紙装置およびその給紙装置を備えた画像記録装置に関するものである。
【背景技術】
【０００２】
従来から、プリンタ、複写機、ファクシミリ装置等の画像記録装置において、ハウジング（装置筐体）の下部に給紙トレイ（給紙カセット）を略水平方向に挿抜可能に配置した構成が知られている。この画像記録装置では、給紙トレイの挿入方向下流側には傾斜分離板が設けられ、ハウジングの内部には、給紙ローラが備えられている。そして、上面が開放された給紙トレイに堆積収容された用紙の最上面に給紙ローラが押圧された状態で給紙ローラが回転駆動されることにより、用紙の端部が給紙トレイの給送方向下流側に設けられた傾斜分離板の傾斜面に突き当てられて、最上層のみの用紙が分離される。分離された用紙は、画像記録部に搬送され、更には画像記録部により用紙に画像が記録されるのである。
【０００３】
ところで、給送方向下流側に設けられ、傾斜した構成の傾斜分離板は、用紙の送り出しを妨げないために、用紙が滑りだしやすい構成となっている。従って、給紙トレイの収容部に多数枚の用紙を収納する場合、傾斜分離板と反対側（給送方向上流側）に配置された後端規制板を一旦用紙の後端縁から離れた側に位置させて多数枚の用紙を収納した後、当該堆積させた用紙の後端縁を後端規制板にて押し付けて、用紙の先端縁（給送方向上流側の端縁）が傾斜分離板に当接させる。その際の後端規制板の押し付け方向への移動力が強い場合、用紙が傾斜面を滑って傾斜分離板の上端を乗り越えるように登ってしまう。また、ユーザが用紙を収納する際の力が強いと、同様に用紙が傾斜分離板を登ってしまう。
【０００４】
そこで、上記不都合を解消するために、特許文献１では、傾斜分離板の一部に、用紙の先端縁を規制するためのストッパが設けられ、給紙トレイを画像記録装置本体から抜き出すときには、ストッパは用紙と当接位置となるように、傾斜分離板の傾斜面よりも突出する一方、給紙トレイを画像記録装置本体内にセットする（押し込む）と、ストッパは用紙との非当接位置となるように、傾斜分離板の傾斜面から退避させる構成が提案されている。
【０００５】
他方、特許文献２では、傾斜した分離壁よりも用紙側に突出して用紙を整列させる仕切板が形成された給紙トレイが記載されている。この仕切板は給紙トレイを装置筐体に装填するときの勢いで、整列状態の用紙が崩れてしまうのを防止するために、装置筐体に装填された後に、仕切板を用紙と接触しない退避位置へ移動させる解除機構を設けている。
【先行技術文献】
【特許文献】
【０００６】
【特許文献１】特開２００１−２２６６号公報（図３〜図７等参照）
【特許文献２】特開２００８−１２０４６６号公報（図９、図１０等参照）
【発明の概要】
【発明が解決しようとする課題】
【０００７】
しかしながら、上記のような構成を有する画像記録装置では、用紙の先端を規制するストッパや仕切り板等を移動させるための構成が複雑になってしまい、装置の大型化や部品点数の増加につながってしまうという問題があった。
【０００８】
本発明は、上記の従来の課題を解決すべくなされたものであり、ユーザが給紙トレイに用紙を収納する動作時、用紙の堆積状態が乱れることを防止できる給紙装置およびその給紙装置を備えた画像記録装置を提供することを目的とするものである。
【課題を解決するための手段】
【０００９】
前記目的を達成するため、請求項１に記載の発明の給紙装置は、装置筐体と、装置筐体に対して挿抜可能な給紙トレイと、給紙トレイの挿入方向下流端部に位置し、傾斜面を有する傾斜部と、被記録媒体の挿入方向下流端を規制する規制体と、装置筐体に設けられた第１連係手段と、給紙トレイに設けられ、給紙トレイの挿入過程で第１連係手段と当接しない非当接状態から、第１連係手段と当接する当接状態となる第２連係手段と、を備え、第２連係手段は、非当接状態から当接状態になると、規制体と傾斜面との位置関係を、規制体が傾斜面よりも被記録媒体側に位置する規制状態から、傾斜面が規制体よりも被記録媒体側に位置する退避状態に向けて変化させるよう変更するものである。また、本発明の給紙装置は、装置筐体内に、被記録媒体を堆積させて収容可能な上面開放状の収容部を有する給紙トレイと、当該給紙トレイに堆積された被記録媒体の最上層から一枚ずつ被記録媒体を分離して所定の方向へと給送するための給送手段と、を有する給紙装置であって、前記給紙トレイは、前記装置筐体に対して挿抜可能であり、前記給紙トレイの挿入方向下流側に、上部側が下部側よりも前記挿入方向下流側に位置して傾斜した傾斜面を有し、下部側を中心として傾動可能に前記給紙トレイに形成された傾斜板と、被記録媒体の給送方向先端を規制する規制体と、前記給紙トレイが前記給送手段によって被記録媒体を給送可能となる給紙位置にある時には、前記傾斜板の傾斜面が前記規制体よりも被記録媒体側に位置し、前記給紙トレイが前記給紙位置よりも挿入方向下流側及び前記給紙位置よりも挿入方向上流側にある時には、前記規制体が前記傾斜面よりも被記録媒体側に位置するよう、前記給紙トレイの挿抜動に応じて、前記規制体と傾斜面との位置関係を変更する連係手段とを備え、前記連係手段は、前記給紙トレイの挿抜動に応じて、前記給紙トレイが前記給紙位置よりも前記挿入方向上流側にあるときの前記傾斜板の上端位置が、前記給紙トレイが前記給紙位置にあるときの前記傾斜板の上端位置よりも低くなるよう前記傾斜板を傾動させているものである。
【発明の効果】
【００１０】
本発明によれば、前記給紙トレイには上部側が下部側よりも前記挿入方向下流側に位置して傾斜した傾斜面を有して下部側を中心として傾動可能にされた傾斜板を備え、被記録媒体の給送方向先端を規制する規制体と、前記給紙トレイが前記給送手段によって被記録媒体を給送可能となる給紙位置にある時には、前記傾斜板の傾斜面が前記規制体よりも被記録媒体側に位置し、前記給紙トレイが前記給紙位置よりも挿入方向下流側及び前記給紙位置よりも挿入方向上流側にある時には、前記規制体が前記傾斜面よりも被記録媒体側に位置するよう、前記給紙トレイの挿抜動に応じて、前記規制体と傾斜面との位置関係を変更する連係手段とを備え、前記連係手段は、前記給紙トレイの挿抜動に応じて、前記給紙トレイが前記給紙位置よりも前記挿入方向上流側にあるときの前記傾斜板の上端位置が、前記給紙トレイが前記給紙位置にあるときの前記傾斜板の上端位置よりも低くなるよう前記傾斜板を傾動させているものであるから、給紙トレイの挿抜動のみで、当該給紙トレイへユーザが用紙を収納する際や、当該給紙トレイを移動させる際に、用紙の一部が傾斜板を乗り越える（はみ出す）ことがなく、用紙を給紙可能な正規の位置に保持できる。
【００１１】
また、給紙トレイが勢い良く押し込まれることで給紙位置よりも下流側に給紙トレイが挿入されても、規制体が傾斜面よりも用紙側に突出していることによって、用紙の一部が傾斜板を乗り越える（はみ出す）ことがなく、用紙を正規の位置に保持できる。また、給紙位置においては、規制体が傾斜分離板における分離面に対して後退（没した）状態となるので、給送手段にて給紙するときに、複数枚の用紙の先端縁（挿入方向の下流側端縁）を傾斜分離板における分離面にて衝突させながら 1枚ずつに分離し、最上層用紙のみを画像記録部に給紙するという給紙機能を発揮させることができる。
【００１２】
本発明によれば、ユーザは給紙トレイを装置筐体に対して挿抜するという作業だけで、傾斜板を傾動させて、規制体の規制面が傾斜板における傾斜面に対して出没するようにできる。また、連係手段を小型で、且つ最小構成部品としながら、必要な機能を充足させることができる。
【００１３】
本発明によれば、規制体を２つの別部材で構成できるため、その配置等を自由に設計できる。
【００１４】
本発明によれば、規制体を２つの別部材で構成した際も、ユーザは給紙トレイを装置筐体に対して挿抜するという作業だけで、傾斜板を傾動させて、第１規制体及び第２規制体が傾斜板における傾斜面に対して出没するようにできる。また、連係手段を小型で、且つ最小構成部品としながら、必要な機能を充足させることができる。
【００１５】
本発明によれば、給紙トレイを給紙位置もしくは給紙位置よりも挿入方向下流側に押し込んだときには、付勢手段が作用して、押込みの急激な衝撃を緩和させることができるとともに、給紙トレイを挿入方向上流側に自動で押し戻すことが可能となる。また、ロック手段により、付勢手段の付勢力に抗して給紙トレイを給紙位置に保持できる。
【００１６】
本発明によれば、傾斜分離板の上端が、給送手段と衝突するなどの干渉することがなく、給紙トレイの収容部の高さが低く設計された装置本体から、円滑に給紙トレイを出し入れすることができる。
【００１７】
本発明によれば、傾斜板の傾動状態を安定的に保持できるため、給紙トレイの挿抜時に傾斜板が不用意に傾動せず、給送手段と傾斜板との干渉が防止できる。
【００１８】
本発明によれば、用紙の先端縁が規制体の規制部に対して滑りだすのを確実に防止できる。
【００１９】
本発明によれば、給紙トレイ内に被記録媒体が確実に保持されるため、画像記録部まで確実に搬送され、画像記録が行われる。
【図面の簡単な説明】
【００２０】
【図１】本発明の一実施形態である多機能型の画像記録装置の全体斜視図である。
【図２】記録部及び給紙装置の左右中央部の側断面図である。
【図３】可動する傾斜分離板の第１実施例を示すための画像記録装置および給紙トレイの一部切欠き概略平面図である。
【図４】第１実施例の給紙トレイの斜視図であり、（Ａ）は給紙作用可能な状態の斜視図、（Ｂ）は傾斜分離板が挿入方向下流側に倒れた状態の斜視図である。
【図５】第１実施例の給紙トレイの要部分解斜視図であり、（Ａ）は給紙トレイから傾斜分離板を除いた状態の後収容部、（Ｂ）は傾斜分離板を表面側から見た斜視図、（Ｃ）は傾斜分離板を裏面側から見た斜視図、（Ｄ）は装置本体の奥側端の斜視図である。
【図６】傾斜分離板および装置筐体の一部を裏面側から見た斜視図である。
【図７】（Ａ）、（Ｂ）及び（Ｃ）は第１実施例の作用説明のための要部斜視図である。
【図８】（Ａ）、（Ｂ）及び（Ｃ）は、図７の（Ａ）、（Ｂ）及び（Ｃ）に対応する要部断面図である。
【図９】（Ａ）、（Ｂ）及び（Ｃ）は、第１実施例の作用説明図である。
【図１０】可動する傾斜分離板の第１実施例の別例を示すための装置筐体および給紙トレイの一部切欠き概略平面図である。
【図１１】（Ａ）、（Ｂ）及び（Ｃ）は、第２実施例の作用説明図である。
【図１２】第２実施例の概略平面図である。
【発明を実施するための形態】
【００２１】
［多機能装置１の基本構造］
図１に示すように、本発明の一実施形態である多機能型の画像記録装置としての多機能装置１におけるハウジング２（請求項でいう装置筐体に相当）の前側（図１において手前側）には開口部２ａが開口されている。そして、その開口部２ａには被記録媒体を堆積状態で収容する上面開放状の給紙トレイ３がＸ軸線方向に沿って挿抜可能に装着されている。その給紙トレイ３の上面に排紙トレイ３３が装着されている。以下、一例としての合成樹脂製のハウジング２の開口部２ａがある側を前（手前）とし、これを基準に装置の後（奥、背面）、左右、とする。また、前述したように、多機能装置１の前後方向をＸ軸方向、左右方向をＹ軸方向とする。なお、この「挿抜」とは、給紙トレイ３がハウジング２に対して着脱可能なもののみならず、ハウジング２から給紙トレイ３の大部分を引出した状態でも、ハウジング２に対して給紙トレイ３が外れない（着脱不能な）ものも含む趣旨である。給紙トレイ３に収容される被記録媒体は、以下便宜上用紙Ｐと述べることとするが、被記録媒体は普通紙のみならず、はがきや封筒等の厚紙や光沢紙等の特殊紙、さらには樹脂フィルム等も含む概念である。
【００２２】
合成樹脂製のハウジング２の上部には、コピー機能やファクシミリ機能における原稿読取などのための画像読取装置５が配置されている。画像読取装置５は図示しない枢軸部を介してハウジング２の一側端に対して上下方向に開閉するように回動可能に構成されている。また、画像読取装置５の上面は原稿載置用のガラス板（不図示）で構成されており、このガラス板は、画像読取装置５の後端に対して枢軸を中心に上下方向に回動可能な原稿カバー体６で覆われている。原稿カバー体６を上側に開けてガラス板の上に原稿を載置し、ガラス板の下方において主走査方向に往復移動する原稿読取り用のスキャナ（例えばＣＩＳ：Contact Image Sensor）によって原稿の画像が読取られる。
【００２３】
ハウジング２の上面であって原稿カバー体６の前方には、各種操作ボタンを備えた操作パネル部７と、操作手順や実行中の処理の状態を表示するための液晶表示装置８とが設けられている。各種操作ボタンとしては、スタートボタンや、ストップボタンなどを含み、これらの操作ボタンを押下することにより、各種の操作が行われる。また、多機能装置１の設定状態や各種の操作メッセージなどが必要に応じて表示される。
【００２４】
次に、図２及び図３等を参照して記録部１０及び給紙装置１２について説明する。図２は記録部１０及び給紙装置１２の側断面図である。
【００２５】
［記録部］
記録部１０（請求項にいう画像記録部）は、上面が開放された箱型のメインフレームにて支持され、図２の紙面に垂直な方向（主走査方向）に延びる横長の板状の第１及び第２ガイド部材１５、１６との間に形成される。記録部１０における記録ヘッド１４が下面側に搭載されたキャリッジ１３は、用紙Ｐ搬送方向の上流側の第１ガイド部材１５及び下流側の第２ガイド部材１６に跨がって摺動自在に支持（搭載）されており、図２の紙面に垂直な方向に往復移動可能となっている。
【００２６】
キャリッジ１３を往復移動させるために、用紙Ｐ搬送方向（矢印Ａ方向）の下流側に配置された第２ガイド部材１６の上面には、主走査方向（Ｙ軸方向）に延びるように配置されたタイミングベルト（図示せず）がプーリ（図示せず）に巻回されており、そのタイミングベルトを駆動するＣＲ（キャリッジ）モータ（図示せず）は第２ガイド部材１６の下面に固定されている。
【００２７】
キャリッジ１３に搭載されている記録ヘッド１４の下面と対峙するようにＹ軸方向に延びる扁平板状のプラテン１７は、前記両ガイド部材１５、１６の間であって、メインフレーム（不図示）の底板の上方に固定されている。メインフレームとハウジング２の基板５９（図９参照）との間が後述する給紙トレイ３を収納し、且つ挿抜できるトレイ収納部となる。
【００２８】
また、プラテン１７を挟んで搬送上流側には、用紙Ｐを記録ヘッド１４の下面に送るためのレジストローラ（搬送ローラ）対１８が配置されており、プラテン１７の下流側には記録済みの用紙Ｐを、給紙トレイ３の上面に設けられた排紙トレイ３３上に搬送するための排紙ローラ対１９が配置されている。
【００２９】
［給紙装置］
次に、給紙装置１２の構成について詳述する。合成樹脂材の射出成形品である給紙トレイ３の収容部は、後収容部３ｂとこの後収容部３ｂに対して進退移動可能に連結された前収容部３ｄとからなる。後収容部３ｂに対して前収容部３ｄを後退させて全長（Ｘ軸方向の長さ）を長くした状態で、給紙トレイ３の収容部に収容可能な用紙Ｐの最大サイズはリーガルサイズである。この場合、リーガルサイズの用紙Ｐは、その長辺がＸ軸方向に沿い、短辺がＹ軸方向に沿うように後収容部３ｂと前収容部３ｄとにわたって、その内部に堆積収容される（但し、図５（Ａ）は排紙トレイ３３及び前収容部３ｄを除去した状態の後収容部３ｂを示す）。また、Ａ４サイズの用紙Ｐを堆積収容するときには、前収容部３ｄを後収容部３ｂ内に押し込み、給紙トレイ３の長さ寸法を短くして使用する。給紙トレイ３内の用紙Ｐは、後述する給送手段２０とＵターン状の内外径の搬送路体２２、２３とを介して１枚ずつ記録部１０に給送される。
【００３０】
後収容部３ｂは、底部３ａと左右両側板３ｃと給送方向の下流側端（給紙トレイ３の挿入方向の下流側端でもあり、奥側でもある）に配置される傾斜分離板２１とが備えられ、前収容部３ｄの給送方向の上流側端には把手部３ｆが設けられている。この給紙トレイ３への用紙Ｐの最大堆積量は、実施形態では普通紙で１５０枚程度、堆積高さはほぼ１５ｍｍ程度とする。なお、傾斜分離板２１は請求項にいう傾斜板に相当する。
【００３１】
合成樹脂材の射出成形品である排紙トレイ３３は、後収容部３ｂの左右側板３ｃに上下回動可能に連結されている。排紙トレイ３３は水平状態（図２参照）にて前収容部３ｄの左右両側板に載置されて、この前収容部３ｄと共に開口部２ａから引き出して延ばすことができる構成である。排紙トレイ３３の給紙トレイ３の挿入方向の下流側端に、補助トレイ部３０が一体的に形成されており、補助トレイ部３０には、葉書などの小サイズの用紙を複数枚堆積収容可能である。
【００３２】
給紙トレイ３における後収容部３ｂには、給紙トレイ３内の用紙Ｐの給送方向と平行な側縁を案内し、且つ位置決めするための一対のサイドガイド４１が備えられている（図３、図４（Ａ）及び図５（Ａ）参照）。他方、前収容部３ｄには、用紙Ｐの給送方向上流側端縁に当接するようにＸ軸方向に沿って移動調節可能なリヤガイド３７（図２参照）が設けられている。
【００３３】
傾斜分離板２１は、給紙トレイ２の給送方向下流側に設けられており、上端側が下流側に向かうよう傾斜している。この傾斜分離板２１の傾斜角度は、用紙Ｐの給送を妨げない角度に設定されている。また、傾斜分離板２１における分離面２１ａ（表面）のうち、左右中心部には、分離部材として、金属片からなり、上下方向に適宜間隔にて分離面２１ａ（表面）から突出する分離爪５７が設けられている（図５（Ｂ）参照）。なお、傾斜分離板２１の詳細な構成については、詳述する。
【００３４】
一対のサイドガイド４１は、給紙トレイ３の左右両側板３ｃの間の底板３ａ上にて用紙Ｐの給送方向（Ｘ軸方向、副走査方向でもある）と直交する方向（Ｙ軸方向、主走査方向である）に広狭移動（広狭スライド）可能に設けられている。これらは公知のラック・ピニオンを用いた構成であり、一方のサイドガイド４１を移動させると他方のサイドガイド４１も移動する。一対のサイドガイド４１により、給紙トレイ３の幅方向（用紙Ｐの給送方向と直交する方向）の中心線と用紙Ｐの幅方向の中心線とを一致させることができる。すなわち、用紙Ｐを給紙トレイ３のセンター位置に合わせることができる。
【００３５】
［給送手段］
次に、図２及び図３を参照しながら、給送手段（給紙ローラユニットともいう）２０の構造について説明する。実施形態では、給送手段２０における合成樹脂製のアーム体２０ｃはメインフレームに取り付けられた駆動軸３９を中心にして上下回動可能であり、アーム体２０ｃは傾斜分離板２１に近づくように延び、アーム体２０ｃの先端部に左右一対の給紙ローラ２０ａが配置されている。駆動軸３９からアーム体２０ｃに設けられた歯車伝達機構（不図示）を介して給紙ローラ２０ａを回転駆動する。歯車伝達機構は複数個の伝達用の歯車及び遊星歯車を備えている。なお、実施例における一対の給紙ローラ２０ａは、給紙トレイ３におけるＹ軸方向の中心線を挟んで左右対称位置に設けられている（図３参照）。
【００３６】
給紙トレイ３から用紙Ｐを１枚ずつ分離にして給送するときには、給送モータ（不図示）が回転して駆動軸３９を回転（図２で反時計廻り方向）させ、歯車伝達機構を介してアーム体２０ｃは下向き方向に付勢される。そして、アーム体２０ｃの先端部の給紙ローラ２０ａが給紙トレイ３に堆積された用紙Ｐの最上面に押圧され、且つアーム体２０ｃに設けられた歯車伝達機構を介して給紙ローラ２０ａは給送方向（図２で時計廻り方向）に回転される。
【００３７】
［給送手段の退避手段］
次に、給紙トレイ３をハウジング２に対して、略水平方向に挿抜するときに、アーム体２０ｃと給紙ローラ２０ａである給送手段２０が給紙トレイ３の先端部（傾斜分離板２１）に衝突（干渉）して挿抜不能にならないようにするための退避手段がについて説明する。退避手段は、アーム体２０ｃに設けられた作動体としてのカムフォロアと、挿抜する給紙トレイ３の少なくとも一側板３ｃの上面に形成されて上記カムフォロアが摺接する誘導体としてのカム部４４とからなる。この構成は公知のものであり、例えば、特開２００７−６２４９６５号等に記載されている。
【００３８】
図２〜図４に示す実施例では、アーム体２０ｃの基部寄り部位に、駆動軸３９の軸線と平行状に延びるカムフォロアとしてのウイング４３がＹ軸方向に沿って延びるように一体的に設けられている。
【００３９】
他方、上述したとおり、給紙トレイ３の一方の側板３ｃ（上記ウイング４３の延びる側に対応する）の上面には、当該給紙トレイ３の挿抜方向であるＸ軸方向に沿って高さが変化するカム部４４が形成されている（図４（Ａ）等参照）。このカム部４４は、給紙トレイ３の傾斜分離板２１に近い側での高さは高く且つ実質上水平状の第１部分４４ａと、この第１部分４４ａの給送方向上流側に形成されるＶ型の第２部分４４ｂとからなる。
【００４０】
この構成により、例えば、図２のように、傾斜分離板２１がＵターン状の搬送経路体２２、２３の下端の位置に隣接するように給紙トレイ３がハウジング２に押し込まれ、用紙Ｐが給紙可能となる給紙位置に装着され状態では、ウイング４３はカム部４４における第２部分４４ｂの最低高さの個所に対向して配置される。その状態では、給紙ローラ２０ａが給紙トレイ３の底板３ａまたは堆積された用紙Ｐの最上面に当接し得るように、アーム体２０ｃは先端側が給送方向下流側に向けて下方に傾斜する姿勢となる。
【００４１】
上記の状態から、給紙トレイ３をハウジング２から引き出すとき、まずウイング４３がＶ型の第２部分４４ｂに摺接しながら押し上げられる。これにより、アーム体２０ｃも押し上げられる。給紙ローラ２０ａ及びアーム体２０ｃからなる給送手段２０の下端が傾斜分離板２１の上端よりも上に位置すると状態で、給紙トレイ３を引き出せば、且つ給紙ローラ２０ａは傾斜分離板２１の上端縁に引っかかることなく乗り越えることができる。
【００４２】
逆に、給紙トレイ３をハウジング２内に挿入するときは、給紙トレイ３の先端部の傾斜分離板２１の上端縁にて作動体を介してアーム体２０ｃを押し上げる。これにより、給送手段が傾斜分離板２１の上端縁を乗り越えると、給紙トレイ３の引出し時の逆の動作で、カムフォロアであるウイング４３が給紙トレイ３のカム部４４に沿って移動し、カム部４４の高さが低くなる箇所では、図２のように、アーム体２０ｃとその給紙ローラ２０ａが底部３ａに近くなるように、下降できるのである。
【００４３】
［用紙のずれ動き防止手段（用紙のはみ出し防止手段）］
はみ出し防止手段は、ハウジング２（装置本体）への給紙トレイ３の挿抜時（特に挿入時）や給紙トレイ３への用紙収納時に、給紙トレイ３に堆積された用紙Ｐが傾斜分離板２１から不用意にずれ移動せず、特に、給紙トレイ３に堆積された用紙Ｐの給送方向下流側への迫り出し（はみ出し）を、阻止するためのものである。
【００４４】
第１実施例では、図４）〜図７に示すように、傾斜分離板２１は、その下部側を中心として、給紙トレイ３に対して回動可能に構成されている。
【００４５】
より詳しくは、左右に長い傾斜分離板２１の両端における下部側に回動支点となるピン５１が水平状に一体的に形成されており、この両ピン５１が給紙トレイ３の左右側板３ｃに形成された軸穴５２に回動自在に装着されている（図５（Ａ）〜図５（Ｂ）参照）。
【００４６】
給紙トレイ３の挿入方向下流側端部には、第１規制体５０が給紙トレイ３の側面からの投影方向において、三角形状に形成されて給紙トレイ３の底板３ａから上向きに突出している。第１規制体５０の斜面が規制面５０ａとなるもので、規制面５０ａには、摩擦抵抗の大きい部材が固定されるか、または表面処理されている。その場合、規制面５０ａは、傾斜分離板２１における分離面２１ａ及び分離爪５７による用紙Ｐに対する抵抗摩擦よりも大きくなるように形成されている。なお、第１規制体は他の形状に形成されていても良く、規制面５０ａのように面状でなくても良い。すなわち、傾斜分離板よりも抵抗摩擦が大きく、傾斜分離板の回動に伴って、出没可能であればよい。
【００４７】
第１規制体５０は、用紙幅方向（図４のＹ軸方向）に沿って複数（実施例では、給紙トレイ３の左右中心線を挟んで中央寄り部位に対称位置に２つ）設けられている。他方、傾斜分離板２１には、各第１規制体５０の配置位置に対応させて、第１規制体５０の少なくとも規制面５０ａが通過できる窓孔５３が形成されている。その場合、傾斜分離板２１が窓孔５３の個所で分離しないように、窓孔５３の一部（例えば、上端部）で連結片５４にて連結されている。なお、窓孔５３の上下方向中途部に連結片５４を設け、各第１規制体５０の規制面５０ａには連結片５４が嵌まる切欠き凹所を形成する。そして、規制面５０ａは、給紙トレイ３がセット位置に装着された状態では、傾斜分離板２１の分離面２１ａよりも用紙側から退避した位置となり、セット位置以外の状態では、傾斜分離板２１の分離面２１ａよりも用紙側に突出した位置となるよう配置されている。
【００４８】
さらに、傾斜分離板２１を回動させるための連係手段が、ハウジング２に設けられ、上面に乗り上げ面５５ａを有したガイド部材５５と、傾斜分離板２１に設けられ、ガイド部材５５の乗り上げ面５５ａに摺接可能な摺接部材５６とを備えている。ガイド部材５５は、ハウジング２における基板５９の奥側に一体的に形成されており、乗り上げ面５５ａのうち挿入方向上流側に隣接して、摺接部材５６を誘導する傾斜案内面５５ｂが一体的に形成されている（図４（Ｃ）、図５（Ａ）及び図５（Ｂ）参照）。他方、摺接部材５６は傾斜分離板２１の裏面である用紙Ｐと接触する面の裏側に斜め下向きに延びるように一体的に形成されている。さらに、ガイド部材５５の上面には、乗り上げ面５５ａの挿入方向下流側に隣接した位置に、摺接部材５６が落ち込む（嵌まる）凹部５５ｃが形成されている（図５（Ｃ）、図８参照）。なお、連係手段の形状は上記に限定されることはなく、傾斜分離板２１を回動させるための構成であれば他の形状であってももちろん良い。
【００４９】
そして、給紙トレイ３における奥板３ｅなどと傾斜分離板２１の裏面との間に装架した引きバネ５８等の付勢手段により、回動可能な傾斜分離板２１が挿入方向下流側に向かって倒れる方向に付勢されている（図５参照）。
【００５０】
さらに、ハウジング２における基板５９の奥側には、ハウジング３の挿入方向下流側端近傍（給紙可能状態となるセット位置）まで給紙トレイ３を押し込んだ時、当該給紙トレイ３を挿入方向上流側に押し戻すように付勢するダンパー手段６１が設けられている。実施例では、ダンパー手段６１は、基板５９の奥側の左右両側に複数設けられ、挿入方向上流側に開口部を有する収納部６１ａと、収納部６１ａの開口部に対して挿入方向に沿って移動可能で、且つ所定量以上挿入方向上流側に突出することが規制された当接体６１ｂと、収納部６１ａの奥側と当接体６１ｂとの間に装架されて、当接体６１ｂを挿入方向上流側に付勢する圧縮ばね６１ｃとが備えられている（図５（Ｃ）及び図６参照）。
【００５１】
また、給紙トレイ３とハウジング２との間には、上記ダンパー手段６１による付勢力に抗して、給紙トレイ３が給紙可能位置であるセット位置に装着された状態を保持するためのロック手段６２が設けられている。実施例では、給紙トレイ３の底板３ａの下面にフック体６２ａが設けられ、ハウジング２における基板５９の上面に係合部６２ｂが設けられている（図９参照）。なお、給紙トレイ３を挿入方向下流側に押し込むとき、フック体６２ａが係合部６２ｂの上面側を乗り越えて後、フック体６２ａが係合部６２ｂの挿入方向下流側端に係止して給紙トレイ３の移動位置を保持できる構成であっても良いし、フック体６２ａが係合部６２ｂの一側面に摺接した後、フック体６２ａが係合部６２ｂの挿入方向下流側端に係止する構成であっても良い。上記の構成により、給紙トレイ３の挿抜時に給紙可能なセット位置近傍で、クリック感を与えることができる。さらに、別の実施例としては、フック体６２ａと係合部６２ｂとの配置位置は、給紙トレイ３の側板３ｃとハウジング２の側板内面とに設けられても良い。
【００５２】
上記の構成により、図７（Ａ）、図８（Ａ）及び図９（Ａ）のように、給紙トレイ３がハウジング２のトレイ収納部の給紙可能なセット位置から適宜量引き出された状態では、アーム体２０ｃは実質的に水平状態である。そして、この状態でハウジング２の開口部２ａから用紙Ｐを給紙トレイ３に対して補給することができる。
【００５３】
この状態では、傾斜分離板２１の上端側が、引きバネ５８等の付勢手段により、挿入方向下流側に向かって倒れる方向に付勢されている。そして、摺接部材５６はガイド部材５５より低い給紙トレイ３の底板３ａ上に摺接するか、図示しないストッパにて傾斜分離板２１の倒れ角度が規制されている。傾斜分離板２１の高さはセット位置に装着された状態よりも低くなり、その高さは、上昇位置の給送手段２０の給紙ローラ２１ａやアーム体２０ｃと干渉しないよう、給送手段２０の下端位置より低く構成されている。従って、さらに、この状態においては、第１規制体５０の規制面５０ａが傾斜分離板２１における分離面２１ａや分離爪５７の先端に対して突出している。また、給紙トレイ３に堆積収容された用紙Ｐの先端縁（給紙トレイ３の挿入方向下流側端縁）が摩擦抵抗の大きい規制面５０ａに規制されて、用紙Ｐが不用意にずれ移動せず、特に、給紙トレイ３に堆積された用紙Ｐの給送方向下流側への迫り出し（はみ出し）を、当該給紙トレイ３の挿入時に効果的に阻止することができる。
【００５４】
その状態から給紙トレイ３が挿入されると、摺接部材５６はガイド部材５５における傾斜案内面５５ｂに乗り上げた後、乗り上げ面５５ａと摺接する。これに伴い図７（Ｂ）、図８（Ｂ）及び図９（Ｂ）に示すように、一旦傾斜分離板２１が起立する。図７（Ｃ）、図８（Ｃ）及び図９（Ｃ）に示すように、ユーザが給紙トレイ３を給紙可能なセット位置よりもさらに挿入方向下流側に移動させると、フック体６２ａは係合部６２ｂを越えて挿入方向下流側に位置する一方、当該給紙トレイ３の奥板３ｅにてダンパー手段６１の当接体６１ｂを圧縮ばね６１ｃの付勢力に抗して押し込むことになる。その状態では、摺接部材５６はガイド部材５５における傾斜案内面５５ｂに乗り上げた後、乗り上げ面５５ａを乗り越え、凹部５５ｃに摺接部材５６が落ち込む（嵌まる）。これに伴い、一旦、傾斜分離板２１が起立した後、傾斜分離板２１が挿入方向下流側に向かって再度倒れて、第１規制体５０の少なくとも規制面５０ａが傾斜分離板２１における分離面２１ａより好ましくは分離爪５７に対して用紙側に突出することになる。
【００５５】
従って、給紙トレイ３が急停止することによって、当該給紙トレイ３上の堆積した用紙Ｐが慣性力で、傾斜分離板２１を乗り越えて挿入方向下流側に移動することを、第１規制体５０の規制面５０ａにて規制できる。このため、給紙トレイ３に堆積された用紙Ｐの給送方向下流側への迫り出し（はみ出し）を効果的に防止することができる。また、ダンパー手段６１によって、給紙トレイ３が停止する際の衝撃を緩和することができる。
【００５６】
この状態から、ユーザが給紙トレイ３から手を離すと、圧縮ばね６１ｃの付勢力にて当接体６１ｂを介して給紙トレイ３を給紙可能状態となるセット位置まで押し戻す（図７（Ｂ）、図８（Ｂ）及び図９（Ｂ）の状態参照）。
【００５７】
これに伴って、摺接部材５６はガイド部材５５の凹部５５ｃから挿入方向上流側に戻り、乗り上げ面５５ａに乗り上げ摺接するので、傾斜分離板２１は起き上がる。これにより、傾斜分離板２１における分離面２１ａが第１規制体５０の規制面５０ａよりも用紙側に突出する。そして、ロック手段６２のフック体６２ａが係合部６２ｂと係合して係止作用が発揮され、給紙トレイ３は、セット位置に装着されるとともに、不用意に給紙トレイ３が移動しない。この給紙可能状態では、給送手段２０の給紙ローラ２１ａが給紙トレイ３に堆積収容された用紙Ｐの最上層に当接する。そして、給紙ローラ２１ａを所定方向に回転させることで、傾斜分離板２１における分離面２１ａ、特に分離爪５７との協働作用により用紙Ｐが１枚ずつに分離され、記録部１０に用紙Ｐが給送（搬送できる）のである。また、起立した傾斜分離板２１の上端の高さ位置が高くなるので、その上端が搬送路体２２等の下端に接近でき、且つ、給送手段２０による用紙Ｐの分離給送作用を確実にすることができる。
【００５８】
逆に、セット位置から給紙トレイ３がハウジング２に対して挿入方向上流側に移動される（引き出す）と、摺接部材５６が乗り上げ面５５ａから離反して、傾斜分離板２１が低くなる方向に（挿入方向下流側に）傾動し、且つ第１規制体５０の規制面５０ａが傾斜分離板２１における分離面２１ａに対して突出するように構成されている。このため、給紙トレイ引き出し時においても、用紙Ｐが傾斜分離板２１を乗り越えてはみ出すことがない。また、ユーザが給紙トレイ３を挿入方向上流側に引き出すときには、フック体６２ａが係合部６２ｂの個所を通過するので、クリック感が生じる。
【００５９】
図１０は、傾斜分離板２１の第１実施例の別例であり、この実施例では、回動可能な傾斜分離板２１は、給紙トレイ３における用紙Ｐの幅方向の一部に対応して設けられている。例えば、給紙トレイ３の左右方向の中心線に、用紙Ｐの幅方向の中心を合わせる、いわゆるセンター合わせの形態では、回動可能な傾斜分離板２１は給紙トレイ３の左右方向の中心側に配置され、傾動しない固定傾斜分離板４５は給紙トレイ３の左右側板３ｃに近い側に設けられている。回動可能な傾斜分離板２１の回動中心となるピン５１は固定傾斜分離板４５に対して回動可能に枢支される。その場合も、第１規制体５０は、給紙トレイ３に収容可能ないずれのサイズの用紙Ｐの幅方向に延びる端縁に当接可能に配置されている。例えば、幅寸法の小さい葉書に対しても対応できるように、給紙トレイ３の左右方向の中心に近い側に第１規制体５０が配置されるべきである。この構成により、回動する傾斜分離板は小さくてよいため、回動動作が安定的になるとともに、傾斜分離板全体の剛性が確保できる。
【００６０】
図１１及び図１２は、はみ出し防止手段の第２実施例を示す。この実施例では、第１実施例の第１規制体５０の構成に加えて、ハウジング２の基板５９におけるガイド部材５５の傾斜案内面５５ｂの先端（挿入方向上流側端）よりも上流側であって、摺接部材５６がガイド部材５５に乗り上げるときに干渉しない（邪魔にならない）側方に、第２規制体６３を立設させる。実施例では、基板５９の左右中心線を挟んで一対設けられている。
【００６１】
第２規制体６３は給紙トレイ３の側面からの投影方向において、三角形状に形成されている。第２規制体６３の斜面が規制面６３ａとなるもので、規制面６３ａには、摩擦抵抗の大きい部材が固定されるか、または摩擦抵抗の大きい表面処理されている。その場合、規制面６３ａは、傾斜分離板２１における分離面２１ａ及び分離爪５７による用紙Ｐに対する抵抗摩擦よりも大きくなるように形成されている。
【００６２】
傾斜分離板２１には、各第２規制体６３の配置位置に対応させて、第２規制体６３の少なくとも規制面６３ａが通過できる窓孔６４が形成されている。その場合、傾斜分離板２１が窓孔６４の個所で分離しないように、窓孔６４の一部（例えば、上端部）で連結片にて連結されている。
【００６３】
さらに、給紙トレイ３の底板３ａにおける挿入方向下流側端には、当該給紙トレイ３を給紙可能なセット位置に向かって押し込むとき、第２規制体６３が底板３ａと干渉せず通過でき、且つ、第２規制体６３の少なくとも規制面６３ａが窓孔６４に対して出没し得るように、案内ガイド溝６５が切欠き形成されている（図１２参照）。
【００６４】
傾斜分離板２１を回動させるための連係手段のガイド部材５５は、上面に乗り上げ面５５ａと、乗り上げ面５５ａのうち挿入方向上流側に隣接して、摺接部材５６を誘導する傾斜案内面５５ｂが一体的に形成されている。その他の構成は、第１実施例と同じであるので、図面には同じ符合を付して詳細な説明は省略する。
【００６５】
この第２実施例によれば、図１１（Ａ）のように、給紙トレイ３がハウジング２のトレイ収納部の給紙可能なセット位置から適宜量引き出された状態では、傾斜分離板２１は、引きバネ５８等の付勢手段により、挿入方向下流側に向かって倒れる方向に付勢されている。そして、摺接部材５６はガイド部材５５より低い給紙トレイ３の底板３ａ上に摺接するか、図示しないストッパにて傾斜分離板２１の倒れ角度が規制されているので、第１規制体５０の規制面５０ａが傾斜分離板２１における分離面２１ａや分離爪５７の先端に対して突出することになる。
【００６６】
そして、ユーザが給紙トレイ３を挿入すると、摺接部材５６はガイド部材５５における乗り上げ面５５ａを乗り上げる。これに伴い、傾斜分離板２１が起立する。この状態では、傾斜分離板２１の分離面２１ａは、第１規制体５０の規制面５０ａよりも用紙側に突出している。また、第２規制体６３は、傾斜分離板２１よりも挿入方向下流側に位置する。その後、図１１（Ｃ）に示すように、ユーザが給紙トレイ３を給紙可能位置よりもさらに挿入方向下流側に押し込むと、フック体６２ａは係合部６２ｂを越えて挿入方向下流側に位置する一方、当該給紙トレイ３の奥板３ｅにてダンパー手段６１の当接体６１ｂを圧縮ばね６１ｃの付勢力に抗して押し込むことになる。そして、第２規制体６３が傾斜分離板２１の窓穴６４から挿入方向上流側に位置し、第２規制体６３の規制面６３ａが傾斜分離板２１における分離面２１ａより好ましくは分離爪５７に対して突出することになる。なお、第１規制体５０の規制面５０ａは傾斜分離板２１における分離面２１ａより後退した位置にある。
【００６７】
上記の状態では、給紙トレイ３の急停止にて、当該給紙トレイ３上の堆積した用紙Ｐが慣性力で、挿入方向下流側に移動することを、第２規制体６３の規制面６３ａにて規制できる。このため、給紙トレイ３に堆積された用紙Ｐの給送方向下流側への迫り出し（はみ出し）を効果的に防止することができる。
【００６８】
図１１（Ｃ）の状態から、ユーザが給紙トレイ３から手を離すと、圧縮ばね６１ｃの付勢力にて当接体６１ｂを介して給紙トレイ３を給紙可能状態となるセット位置まで押し戻す（図１１（Ｂ）の状態参照）。
【００６９】
そうすると、図１１（Ｂ）に示すように、傾斜分離板２１の分離面２１ａは、第２規制体６３の規制面６３ａよりも挿入方向上流側に位置する（すなわち用紙側に突出する）こととなる。この給紙可能状態では、給送手段２０の給紙ローラ２０ａが給紙トレイ３に堆積収容された用紙Ｐの最上層に当接し、給紙ローラ２１ａを所定方向に回転させることで、傾斜分離板２１における分離面２１ａ、特に分離爪５７との協働作用により用紙Ｐが１枚ずつに分離され給紙される。
【００７０】
本発明は上記記述及び図面によって説明した実施形態に限定されるものではなく、要旨を逸脱しない範囲内で種々変更して実施することができる。例えば、上記各実施例において、第１規制体５０及び第２規制体６３は１つでも良いし、３つ以上の複数であっても良い。さらに、固定配置されているだけでなく、可動であってもよい。
【００７１】
傾斜分離板２１は、給紙トレイ３の幅方向の一部、例えば中央寄り部位にて固定傾斜板４５に対して回動可能に装着されていても良いし（図１２参照）、図３のように給紙トレイ３の幅方向の全体にわたって配置されていても良い。さらに、傾斜分離板２１は、分離部材５７を備えてなくても良い。また、傾斜分離板２１は、給紙トレイ３に装着されておらず、装置筐体（ハウジング２）に設けられ、給紙トレイ３には、規制体のみが設けられていても良い。その場合も、給紙トレイ３の挿抜に応じて筐体側の傾斜分離板２１を傾動させるための連係手段が給紙トレイおよび装置筐体に設けられる。さらに、ダンパー手段は、給紙トレイを給紙位置に戻す機構であればよく、ロック手段も、給紙トレイを給紙位置に保持する機構であればよい。
【符号の説明】
【００７２】
２   装置筐体としてのハウジング
３   給紙トレイ
３ａ 底部
２０   給送手段
２０ａ 給紙ローラ
２０ｃ アーム体
２１   傾斜分離板
２１ａ 分離面
５０   第１規制体
５０ａ 規制面
５５   ガイド部材
５５ａ 乗り上げ面
５５ｃ 凹部
５６   摺接部材
６１   ダンパー手段
６２   ロック手段
６３   第２規制体
６３ａ 規制面